(57)【要約】【課題】レンズ鏡筒内のスペースを有効利用し、レンズ鏡筒の小型化又は薄型化を図る。【解決手段】レンズ鏡筒（３）は、撮影光学系（Ｌ１，Ｌ２）と、ブレ補正枠（３１）と、撮影光学系（Ｌ１，Ｌ２）の少なくとも一部を形成するレンズ（Ｌ２）を保持し且つブレ補正枠（３１）に対して相対移動する可動部（３０）と、ブレ補正枠（３１）と可動部（３０）とを相対移動させるアクチュエータ（Ｖ１，Ｖ２）、及び該アクチュエータ（Ｖ１，Ｖ２）に対してレンズ（Ｌ２）を挟んで対向配置され且つ相対移動を検出する位置検出手段（Ｓ１，Ｓ２）の組を２組備え、ブレ補正枠（３１）における、撮影光学系（Ｌ１，Ｌ２）の光軸（Ｃ）からアクチュエータ（Ｖ１，Ｖ２）に延びる半直線と光軸（Ｃ）から位置検出手段（Ｓ１，Ｓ２）に延びる半直線との間に挟まれた領域（Ｚ）に、配線部材（４６）が貫通する開口部（４５）が設けられている。【選択図】図２
2008191484.tif 000002
【特許請求の範囲】
【請求項１】
撮影光学系と、
ブレ補正枠と、
前記撮影光学系の少なくとも一部を形成するレンズを保持し且つ前記ブレ補正枠に対して相対移動する可動部と、
前記ブレ補正枠と前記可動部とを相対移動させるアクチュエータ、及び該アクチュエータに対して前記レンズを挟んで対向配置され且つ前記相対移動を検出する位置検出手段の組を２組備え、
前記ブレ補正枠における、前記撮影光学系の光軸から前記アクチュエータに延びる半直線と前記光軸から前記位置検出手段に延びる半直線との間に挟まれた領域に、配線部材が貫通する開口部が設けられていることを特徴とするレンズ鏡筒。
【請求項２】
請求項１に記載のレンズ鏡筒において、
前記配線部材が、前記撮影光学系の最も対物側にあるレンズ群をフォーカス駆動するフォーカスモータに接続されていることを特徴とするレンズ鏡筒。
【請求項３】
請求項１又は２に記載のレンズ鏡筒において、
前記撮影光学系の最も対物側にあるレンズ群を保護するバリア駆動機構の一部が、前記開口部を貫通可能に配置されていることを特徴とするレンズ鏡筒。
【請求項４】
請求項３に記載のレンズ鏡筒において、
該レンズ鏡筒の全長が撮影可能な状態と比べて短かくなる沈胴時に、前記バリア駆動機構の一部が前記開口部を貫通することを特徴とするレンズ鏡筒。
【請求項５】
請求項１から請求項４のいずれか１項に記載のレンズ鏡筒において、
前記開口部の外周が、前記ブレ補正枠に前記可動部を付勢するためのバネ用のバネ掛け部も兼用するように形成されていることを特徴とするレンズ鏡筒。
【請求項６】
請求項１から請求項５のいずれか１項に記載のレンズ鏡筒において、
前記開口部が、前記ブレ補正枠における前記可動部の可動範囲外に設けられていることを特徴とするレンズ鏡筒。
【請求項７】
請求項１から請求項６に記載のレンズ鏡筒を備えることを特徴とするカメラ。
【発明の詳細な説明】
【技術分野】
【０００１】
本発明は、ブレ補正装置を備えたレンズ鏡筒及びカメラに関するものである。
【背景技術】
【０００２】
従来、ブレ補正装置を備えたレンズ鏡筒において、レンズ鏡筒内の部材に電気を供給等するための配線部材は、レンズ鏡筒とその内部に配置される部材との間を通って配線されていた。
【特許文献１】特開２００５−２２７３２９号公報
【発明の開示】
【発明が解決しようとする課題】
【０００３】
近年、カメラの小型化に伴い、レンズ鏡筒の小型化も望まれている。しかし、レンズ鏡筒とその内部に配置される部材との間に配線部材を通す構造では、レンズ鏡筒の径をあまり小さくすることができず、レンズ鏡筒の小型化又は薄型化が図れない場合がある。
本発明の課題は、レンズ鏡筒内のスペースを有効利用し、レンズ鏡筒の小型化又は薄型化を図ることにある。
【課題を解決するための手段】
【０００４】
本発明は、以下のような解決手段により、前記課題を解決する。なお、理解を容易にするために、本発明の実施形態に対応する符号を付して説明するが、これに限定されるものではない。
請求項１の発明は、撮影光学系（Ｌ１，Ｌ２）と、ブレ補正枠（３１）と、前記撮影光学系（Ｌ１，Ｌ２）の少なくとも一部を形成するレンズ（Ｌ２）を保持し且つ前記ブレ補正枠（３１）に対して相対移動する可動部（３０）と、前記ブレ補正枠（３１）と前記可動部（３０）とを相対移動させるアクチュエータ（Ｖ１，Ｖ２）、及び該アクチュエータ（Ｖ１，Ｖ２）に対して前記レンズ（Ｌ２）を挟んで対向配置され且つ前記相対移動を検出する位置検出手段（Ｓ１，Ｓ２）の組を２組備え、前記ブレ補正枠（３１）における、前記撮影光学系（Ｌ１，Ｌ２）の光軸（Ｃ）から前記アクチュエータ（Ｖ１，Ｖ２）に延びる半直線と前記光軸（Ｃ）から前記位置検出手段（Ｓ１，Ｓ２）に延びる半直線との間に挟まれた領域（Ｚ）に、配線部材（４６）が貫通する開口部（４５）が設けられていることを特徴とするレンズ鏡筒（３）である。
請求項２の発明は、請求項１に記載のレンズ鏡筒（３）において、前記配線部材（４６）が、前記撮影光学系（Ｌ１，Ｌ２）の最も対物側にあるレンズ群（Ｌ１）をフォーカス駆動するフォーカスモータ（１２）に接続されていることを特徴とするレンズ鏡筒（３）である。
請求項３の発明は、請求項１又は２に記載のレンズ鏡筒（３）において、前記撮影光学系（Ｌ１，Ｌ２）の最も対物側にあるレンズ群（Ｌ１）を保護するバリア駆動機構（１１）の一部（２４）が、前記開口部（４５）を貫通可能に配置されていることを特徴とするレンズ鏡筒（３）である。
請求項４の発明は、請求項３に記載のレンズ鏡筒（３）において、該レンズ鏡筒（３）の全長が撮影可能な状態と比べて短かくなる沈胴時に、前記バリア駆動機構（１１）の一部（２４）が前記開口部（４５）を貫通することを特徴とするレンズ鏡筒（３）である。
請求項５の発明は、請求項１から請求項４のいずれか１項に記載のレンズ鏡筒（３）において、前記開口部（４５）の外周が、前記ブレ補正枠（３１）に前記可動部（３０）を付勢するためのバネ（３９ａ）用のバネ掛け部（４１）も兼用するように形成されていることを特徴とするレンズ鏡筒（３）である。
請求項６に記載の発明は、請求項１から請求項５のいずれか１項に記載のレンズ鏡筒（３）において、前記開口部（４５）が、前記ブレ補正枠（３１）における前記可動部（３０）の可動範囲外に設けられていることを特徴とするレンズ鏡筒（３）である。
請求項７の発明は、請求項１から請求項６に記載のレンズ鏡筒（３）を備えることを特徴とするカメラ（１）である。
なお、符号を付して説明した構成は、適宜改良してもよく、また、少なくとも一部を他の構成物に代替してもよい。
【発明の効果】
【０００５】
レンズ鏡筒内のスペースを有効利用し、レンズ鏡筒の小型化又は薄型化を図ることができる。
【発明を実施するための最良の形態】
【０００６】
以下、図面を参照して、本発明の実施形態について説明する。図１は、本実施形態によるカメラ１の概略斜視図である。本実施形態においてカメラ１は、レンズ非交換式のデジタルスチルカメラであり、カメラボディ２と、非撮影時にその一部がカメラボディ２内に収納される沈胴式のレンズ鏡筒３を備える。
【０００７】
レンズ鏡筒３は、レンズ鏡筒３の外周を構成する可動筒１０を備える。またレンズ鏡筒３は、可動筒１０内部において、対物側から、バリヤユニット１１と、第１レンズ群Ｌ１と、第１レンズ群Ｌ１を駆動するフォーカスモータ１２と、第１レンズ群Ｌ１よりもカメラボディ２側に取り付けられた第２レンズ群Ｌ２と、第２レンズ群Ｌ２を保持すると共に像ブレ補正動作を行うブレ補正ユニット（ＶＲユニット）１３と、レンズ鏡筒３のベースとなるＣＣＤ台１４等と、を備える。
【０００８】
可動筒１０は、順に径が大きくなる第１可動筒１０ａ、第２可動筒１０ｂ、第３可動筒１０ｃの３つの筒状体からなる。そして第１可動筒１０ａが第２可動筒１０ｂに、第２可動筒１０ｂが第３可動筒１０ｃに収納された沈胴状態と、第２可動筒１０ｂが第３可動筒１０ｃから延び、第１可動筒１０ａが第２可動筒１０ｂから延びた図１に示す撮影状態との間で光軸Ｃ方向に伸縮可能である。なお、第１可動筒１０ａ内には、第１レンズ群Ｌ１の位置検出用の不図示のＰＩ（フォトインタラプタ）が取り付けられている。
【０００９】
図２は、バリヤユニット１１、ＶＲユニット１３、及びＣＣＤ台１４の斜視図である。バリヤユニット１１は、図１に示す第１可動筒１０ａ内に配置され、沈胴状態において第１レンズ群Ｌ１の入射面を保護するものであって、鋏状に開閉する２枚のバリヤ羽根２０、バリヤ羽根２０を開閉するためのアーム２１とを備える。アーム２１は、第１可動筒１０ａに対して固定された回転中心軸２２と、アーム２１の一端に固定され且つバリヤ羽根２０の根元を押してバリヤ羽根２０を開閉する開閉用棒状部材２３と、アーム２１の他端に固定された駆動用棒状部材２４と、を備える。
【００１０】
アーム２１は、撮影状態においては、バリヤ羽根２０が開状態となる方向に付勢されている。そして、レンズ鏡筒３が沈胴状態に移行する際に、後述するバリヤ駆動用突起部１７によって駆動用棒状部材２４が移動され、バリヤ羽根２０は閉状態に駆動されるようになっている。一方、レンズ鏡筒３が沈胴状態から撮影状態に移行する際には、バリヤ羽根２０は開状態に駆動される。
【００１１】
図１に戻り、第１レンズ群Ｌ１は、第１可動筒１０ａ内のバリヤ羽根２０よりもカメラボディ２側に配置されており、フォーカスレンズとしても機能するようになっている。
【００１２】
フォーカスモータ１２は、図示しない支持部材によって支持されたステッピングモータであり、第１レンズ群Ｌ１を駆動する。このフォーカスモータ１２も、カメラ１の通常撮影位置において第１レンズ群Ｌ１と共に移動するように第１可動筒１０ａ内に配置されている。
【００１３】
第２レンズ群は、撮影光学系の一部を構成し、撮影者の手振れ等による振れに起因する被写体の像ブレを打ち消す方向に移動することにより、撮影部における像ブレを補正するレンズである。第１レンズ群Ｌ１、及び第２レンズ群Ｌ２は、光軸Ｃ方向に沿って対物側から順次配列され、協働して２群構成のズームレンズを構成する。
【００１４】
ＣＣＤ台１４は、カメラボディ２に対して固定された略円形の板状の部材であり、ＣＣＤ及びＬＰＦ（図示せず）を備えている。また、ＣＣＤ台１４には、後述するバリヤユニット１１を駆動するバリヤ駆動用突起部１７が設けられている。
【００１５】
バリヤ駆動用突起部１７は、ＣＣＤ台１４から対物側に延びる壁状部材であり、図２に示すように、平坦な第１壁面１７ａと、第１壁面１７ａの反対側に位置すると共にやや湾曲した第２壁面１７ｂと、第１壁面１７ａ及び第２壁面１７ｂをつなぐ２つの側面１７ｃ，１７ｄと、対物側を向く端面１７ｅとを備える。なお、この端面１７ｅは光軸Ｃと垂直な面に対して傾いている。
【００１６】
ＶＲユニット１３は、第２レンズ群Ｌ２を光軸Ｃに直交する平面内において、レンズ鏡筒３のピッチング、ヨーイングにそれぞれ対応した方向に移動（シフト）させることによって被写体像の像ブレ補正を行うブレ補正装置である。このＶＲユニット１３は、図２に示すように、可動枠３０、ブレ補正枠３１、アクチュエータＶ１，Ｖ２、位置検出センサＳ１，Ｓ２を有している。
【００１７】
可動枠３０の略中央部には、第２レンズ群Ｌ２が組み付けられており、第２レンズ群Ｌ２は、可動枠３０と一体となって、光軸Ｃに略直交する面内で移動可能となっている。可動枠３０の、第２レンズ群Ｌ２を中心として略直行する直線Ｘ，Ｙ上における図２中下側となる部分には、駆動用マグネット３３ａ，３３ｂ及びその駆動用マグネット３３ａ，３３ｂと対向する駆動用ヨーク３４ａ，３４ｂが配置され、図２中上側となる部分には、位置検出用マグネット３５ａ，３５ｂ及びその位置検出用マグネット３５ａ，３５ｂと対向する位置検出用ヨーク３６ａ，３６ｂが配置されている。
【００１８】
ブレ補正枠３１は、可動枠３０を移動可能に支持する略円形の部材である。図３はカメラボディ２側からブレ補正枠３１を見た図である。図示するようにブレ補正枠３１は、直線Ｘ，Ｙ上に、駆動用コイル（図示せず）及びその駆動用コイルと対向するコイル側ヨーク３７ａ，３７ｂと、ホール素子３８ａ，３８ｂとを備える。更に、ブレ補正枠３１の外周近傍には、後述する開口部４５が設けられている。
【００１９】
可動枠３０とブレ補正枠３１との間にはバネ３９ａ、３９ｂが配置されており、バネ３９ａ、３９ｂの一方の端部は、図３に示すようにブレ補正枠３１に固定され、もう一方の端部は、図２に示すように可動枠３０に係合している。このバネ３９ａ、３９ｂによって、可動枠３０とブレ補正枠３１とが互いに可動に保持されている。
【００２０】
更に、可動枠３０とブレ補正枠３１との間にはボール４０が配置されている。ボール４０は、可動枠３０とブレ補正枠３１との間に設けられ、可動枠３０を支持し、可動枠３０の移動を円滑に行うための部材である。ブレ補正枠３１には凹形状のボール受け部（図示せず）が設けられ、ボール４０はその内部に配置され、脱落しないように保持されている。本実施形態においてボール４０は３ヶ所設けられ、その位置を結んで形成される３角形の重心が第２レンズ群Ｌ２の光軸Ｃ上にくるように配置されている。なお、これに限らず、例えば、可動枠３０を支持し且つ稼動枠３０を円滑に移動させることが可能であれば、その数、及び位置は特に限定しない。
【００２１】
可動枠３０のブレ補正枠３１側に設けられた上述の駆動用マグネット３３ａと、駆動用ヨーク３４ａと、ブレ補正枠３１の可動枠３０側であって駆動用マグネット３３ａに対向する位置に設けられた駆動用コイル（図示せず）と、コイル側ヨーク３７ａと、によりアクチュエータＶ１が構成される。また、駆動用マグネット３３ｂと、駆動用ヨーク３４ａと、駆動用コイルと、コイル側ヨーク３７ｂと、によりアクチュエータＶ２が構成される。
【００２２】
このアクチュエータＶ１，Ｖ２は、第２レンズ群Ｌ２及び可動枠３０を移動させる駆動力を発生するためのボイスコイルモータとして機能する。そして、アクチュエータＶ１，Ｖ２の駆動用コイルに電流が流れることにより、アクチュエータＶ１，Ｖ２には、それぞれ、直線Ｘ，Ｙに沿った方向への駆動力が発生する。その駆動力によって、第２レンズ群Ｌ２及び可動枠３０が駆動される。
【００２３】
可動枠３０のブレ補正枠３１とは反対側に設けられた位置検出用マグネット３５ａと、位置検出用ヨーク３６ａと、ブレ補正枠３１の可動枠３０側であって位置検出用マグネットに対向する位置に設けられたホール素子３８ａと、により位置検出センサＳ１が構成される。また、位置検出用マグネット３５ｂと、位置検出用ヨーク３６ｂと、ホール素子３８ｂと、により位置検出センサＳ２が構成される。
【００２４】
アクチュエータＶ１、位置検出センサＳ１、アクチュエータＶ２及び位置検出センサＳ２は、光軸Ｃを中心として互いに９０度の間隔で配置されている。そして、アクチュエータＶ１，Ｖ２によって、第２レンズ群Ｌ２及び可動枠３０が駆動されると、可動枠３０と共に位置検出用マグネット３５ａ，３５ｂが移動するので、位置検出用マグネット３５ａ，３５ｂのホール素子３８ａ，３８ｂの位置での磁束密度が変化する。ホール素子３８ａ，３８ｂがこの磁束密度の変化を読み込むことにより位置検出センサＳ１，Ｓ２は第２レンズ群Ｌ２の位置を検出する。
【００２５】
再度、ブレ補正枠３１の説明に戻る。図３を参照すると、開口部４５は、ブレ補正枠３１における、光軸ＣからアクチュエータＶ１に延びる半直線Ｙ１と光軸Ｃから位置検出センサＳ１に延びる半直線Ｘ２との間に挟まれた領域Ｚ内に設けられている。この領域Ｚは、沈胴時にフォーカスモータ１２やＰＩが移動しない領域である。領域Ｚ内における開口部４５の更に詳細な位置は、可動枠３０が移動しても重ならず、アクチュエータＶ１，Ｖ２、位置検出センサＳ１，Ｓ２及びボール４０が存在しない位置である。
【００２６】
また、図２及び図３に示すように、ブレ補正枠３１の外周部には、光軸Ｃに沿って対物側に延びる支柱４７が設けられている。そして開口部４５は、領域Ｚにおいて、その支柱４７を回避し、バリヤ駆動用突起部１７を貫通させることができ、且つバネ３９ａを取り付けるためのバネ掛け部４１を形成するような形状となっている。
【００２７】
図４は、レンズ鏡筒３が撮影状態から若干縮んだ状態における、ＣＣＤ台１４、ＶＲユニット１３、フォーカスモータ１２の斜視図である。図示するようにブレ補正枠３０の開口部４５からバリヤ駆動用突起部１７が僅かに突き出している。また、開口部４５内は、ＦＰＣ（フレキシブルプリント配線板）４６も貫通されている。ＦＰＣ４６は、開口部４５をＣＣＤ台１４側から対物側に向かって貫通している。その後ＦＰＣ４６は、折り畳まれ、その先端は２方向に分岐し、一方４６ａはフォーカスモータ１２へ接続され、他方４６ｂはＰＩに接続されている。なお、前述の支柱４７は、レンズ鏡筒３が収縮する際に、ＦＰＣ４６が所定の位置に折り畳まれて収納されるようにガイドするためのものである。
【００２８】
次に、開口部４５の機能について説明する。図５（ａ）〜（ｅ）は、バリヤ駆動用突起部１７、開口部４５、及びバリヤユニット１１のアーム２１の、撮影状態から沈胴状態へ移動する過程の変化を示した図である。なお、これらの図においてＦＰＣ４６は説明を分かり易くするため図示しないが、（ａ）〜（ｅ）のいずれの位置においても、ＦＰＣ４６は開口部４５を貫通している。
【００２９】
図５（ａ）は、撮影状態におけるバリヤ駆動用突起部１７、開口部４５及びバリヤユニット１１のアーム２１の関係を示した図である。この状態においてバリヤ駆動用突起部１７は開口部４５を貫通しておらず、駆動用棒状部材２４も開口部４５よりも対物側に存在する。図６（ａ）は図５（ａ）と同じ撮影状態におけるバリヤユニット１１のバリヤ羽根２０を示した図である。図示するように、バリヤ羽根２０は開いている。
【００３０】
図５（ｂ）は、撮影状態から沈胴状態への移動途中を示した図である。図示するように、バリヤ駆動用突起部１７の端面１７ｅが開口部４５内に入り込み、端面１７ｄの先端に駆動用棒状部材２４が当接する。また、図６（ｂ）は図５（ｂ）と同じ状態におけるバリヤ羽根２０を示した図である。図示するように、バリヤ羽根２０は、この状態でも図６（ａ）と同様に開いている。
【００３１】
図５（ｃ）は、図５（ｂ）の状態から更に沈胴状態へ移動した状態を示した図である。図示するように、バリヤ駆動用突起部１７の端面１７ｅの先端は開口部４５より突き出している。図６（ｃ）は図５（ｃ）と同じ状態におけるバリヤ羽根２０を示した図である。図示するように、駆動用棒状部材２４はバリヤ駆動用突起部１７の端面１７ｅに沿って滑り、アーム２１は回転中心軸２２を中心として回転し、開閉用棒状部材２３が図６中Ａ方向に移動し、バリヤ羽根２０が閉じ始める。
【００３２】
図５（ｄ）は、図５（ｃ）の状態から更に沈胴状態へ移動した状態を示した図である。図示するように、バリヤ駆動用突起部１７の端面１７ｅは全て開口部４５より突き出している。図示するように、駆動用棒状部材２４はバリヤ駆動用突起部１７の端面１７ｅに沿って滑り、端面１７ｅのカメラボディ側端部まで移動する。図６（ｄ）は図５（ｄ）と同じ状態におけるバリヤ羽根２０を示した図である。アーム２１は回転中心軸２２を中心として更に回転し、開閉用棒状部材２３が図中Ａ方向に移動し、バリヤ羽根２０が閉じる。
【００３３】
図５（ｅ）は、沈胴状態を示した図である。図示するように、バリヤ駆動用突起部１７は完全に開口部４５より突き出し、駆動用棒状部材２４はバリヤ駆動用突起部１７の端面１７ｅから完全に滑り落ちている。図６（ｅ）は図５（ｅ）と同じ状態におけるバリヤ羽根２０を示した図である。バリヤ羽根２０は閉じてロックされた状態となる。
【００３４】
以上、本実施形態によると、以下の効果を有する。
（１）開口部４５がブレ補正枠３１において、ＶＲユニット１３の他の構成要素と重ならない部分に設けられ、ＦＰＣ４６がその開口部４５を貫通している。したがって、レンズ鏡筒３内のスペースを有効利用することができ、レンズ鏡筒３の小型化又は薄型化を図ることができる。
（２）開口部４５を設け、この開口部４５を通してＣＣＤ台１４のバリヤ駆動用突起部１７とバリヤユニット１１の駆動用棒状部材２４とを係合させることにより、バリヤユニット１１のバリヤ羽根２０を開閉するようにした。これにより、バリヤユニットを回転リング方式にした場合のように、レンズ鏡筒３をリング分だけ長くする必要がなく、コンパクトなバリヤ機構を提供することができる。
（３）開口部４５の外周がバネ掛け部４１も兼用するように形成されているため、別途バネ掛け部を形成する必要がなく、製造が容易であると共にレンズ鏡筒３の小型化又は薄型化を図ることができる。
（４）開口部４５が、ブレ補正枠３１における可動枠３０の可動範囲外に設けられているため、開口部４５をＦＰＣ４６やバリヤ駆動用突起部１７が貫通していても、可動枠３０の動きに支障をきたすことがない。
【００３５】
（変形形態）
以上説明した実施形態に限定されることなく、種々の変形や変更が可能であり、それらも本発明の範囲内である。
（１）本実施形態では、開口部４５をバリヤ羽根２０を駆動するバリヤ駆動用突起部１７とＦＰＣ４６とが貫通する構造としたがこれに限定されず、開口部４５は、ＦＰＣ等の配線部材のみ貫通する構造としてもよい。
（２）本実施形態では、開口部４５を、その外周がバネ掛け部４１も兼用するように形成したが、これに限定されず、バネ掛け部は別途設ける構造であってもよい。
（３）本実施形態では、バネ３９ａ，３８ｂは、２本設けられる例を示したが、これに限らず、例えば、バネは１本でもよいし、３本以上設けてもよい。
（４）本実施形態では、アクチュエータＶ１，Ｖ２として、ボイスコイルモータを用いる例を示したが、これに限らず、ステッピングモータ等の他のアクチュエータを用いてもよい。
（５）本実施形態では、位置検出センサＳ１，Ｓ２として、位置検出用マグネット３５ａ，３５ｂとホール素子３８ａ，３８ｂとを用いる例を示したが、これに限らず、例えば、光学的にブレ補正レンズの位置を検出する光センサ等を用いてもよい。
（６）また、レンズ鏡筒３は、動画撮影可能なビデオカメラや、双眼鏡、望遠鏡等に用いてもよい。
【図面の簡単な説明】
【００３６】
【図１】本実施形態によるカメラ１の概略斜視図である。
【図２】ＣＣＤ台、ブレ補正ユニット及びバリヤユニットの斜視図である。
【図３】カメラボディ側からブレ補正枠を見た図である。
【図４】レンズ鏡筒が撮影状態から若干縮んだ状態におけるＣＣＤ台、ＶＲユニット、フォーカスモータの斜視図である。
【図５】（ａ）〜（ｅ）は、バリヤ駆動用突起部、開口部、及びバリヤユニットのアーム２１の、撮影状態から沈胴状態へ移動する過程の変化を示した図である。
【図６】図５の（ａ）〜（ｅ）のそれぞれに対応したバリヤユニットのバリヤ羽根を示した図である。
【符号の説明】
【００３７】
１：カメラ、３：レンズ鏡筒、１３：ブレ補正ユニット、１１：バリヤユニット、１２：フォーカスモータ、１４：ＣＣＤ台、１７：バリヤ駆動用突起部、２０：バリヤ羽根、２４：駆動用棒状部材、３０：可動枠、３１：ブレ補正枠、３９ａ，３９ｂ：バネ、４５：開口部
【図１】
2008191484.tif 000003
【図２】
2008191484.tif 000004
【図３】
2008191484.tif 000005
【図４】
2008191484.tif 000006
【図５】
2008191484.tif 000007
【図６】
2008191484.tif 000008